(57)【要約】【課題】連結部を薄型化することができる技術が求められていた。【解決手段】本開示によれば、第１の筺体と、第２の筺体と、第１の筺体及び第２の筺体のそれぞれに固定され、屈曲性を有する第１の板と、第１の筺体に固定され、屈曲性を有する第２の板と、第２の筺体に設けられ、第２の板を第１の筺体と第２の筺体との連結方向にスライド可能であり、かつ固定可能な固定部材と、を備える、情報処理装置が提供される。【選択図】図４
2014044627.tif 000002
【特許請求の範囲】
【請求項１】
第１の筺体と、
第２の筺体と、
前記第１の筺体及び前記第２の筺体のそれぞれに固定され、屈曲性を有する第１の板と、
前記第１の筺体に固定され、屈曲性を有する第２の板と、
前記第２の筺体に設けられ、前記第２の板を前記第１の板の長さ方向にスライド可能であり、かつ固定可能な固定部材と、を備える、情報処理装置。
【請求項２】
前記第１の板と前記第２の板との間隔を所定値以下に抑える支持部材を備える、請求項１記載の情報処理装置。
【請求項３】
前記支持部材は、前記第１の板と前記第２の板とを接触させる、請求項２記載の情報処理装置。
【請求項４】
前記支持部材は、前記第１の板の長さ方向に沿って所定間隔ごとに複数設けられる、請求項２記載の情報処理装置。
【請求項５】
前記固定部材は、
前記第２の板の一方の面を前記一方の面に垂直な方向に押圧する弾性部材と、
前記第２の板の他方の面に接触する接触部材と、を備える、請求項１記載の情報処理装置。
【請求項６】
前記固定部材は、
前記第２の板に設けられ、前記第２の板の長さ方向に伸びるラックと、
前記ラックに噛み合い、所定トルク以上のトルクが与えられた際に回転するギアと、を備える、請求項１記載の情報処理装置。
【請求項７】
前記固定部材は、
前記第２の板の長さ方向に伸びる第１のラックと、
前記第２の板と前記第１のラックとを連結する弾性部材と、
前記第２の筺体に固定され、前記第１のラックと噛み合う第２のラックと、を備える、請求項１記載の情報処理装置。
【発明の詳細な説明】
【技術分野】
【０００１】
本開示は、情報処理装置に関する。
【背景技術】
【０００２】
特許文献１は、電子機器本体とディスプレイとの連結部に設けられるヒンジを開示する。
【先行技術文献】
【特許文献】
【０００３】
【特許文献１】特開２０１０−２１８１０２号公報
【発明の概要】
【発明が解決しようとする課題】
【０００４】
しかし、特許文献１に開示されたヒンジは非常に複雑な構成となっていたので、連結部が厚型化していた。このため、連結部を薄型化することができる技術が求められていた。
【課題を解決するための手段】
【０００５】
本開示によれば、第１の筺体と、第２の筺体と、第１の筺体及び第２の筺体のそれぞれに固定され、屈曲性を有する第１の板と、第１の筺体に固定され、屈曲性を有する第２の板と、第２の筺体に設けられ、第２の板を第１の板の長さ方向にスライド可能であり、かつ固定可能な固定部材と、を備える、情報処理装置が提供される。
【０００６】
本開示によれば、第１の筺体と第２の筺体とを連結する連結部は、第１の板、第２の板、及び固定部材を含む。
【発明の効果】
【０００７】
以上説明したように本開示によれば、連結部の薄型化が可能となる。
【図面の簡単な説明】
【０００８】
【図１】本開示の実施形態に係る情報処理装置の外観例を示す斜視図である。
【図２】情報処理装置の外観例を示す斜視図である。
【図３】情報処理装置の外観例を示す斜視図である。
【図４】ヒンジの一例を模式的に示す側面図である。
【図５】ヒンジの一例を模式的に示す側面図である。
【図６】第２の板及び固定部材の外観を示す斜視図である。
【図７】ヒンジの設置例を示す斜視図である。
【図８】固定部材の変形例を示す斜視図である。
【図９】固定部材の変形例を示す斜視図である。
【図１０】固定部材の変形例を示す斜視図である。
【図１１】固定部材の変形例を示す斜視図である。
【発明を実施するための形態】
【０００９】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、各図の寸法は概略的なものである。
【００１０】
なお、説明は以下の順序で行うものとする。
１．情報処理装置の外観例
２．ヒンジの構成
３．ヒンジの作用
４．ヒンジの設置例
５．固定部材の第１変形例
６．固定部材の第２変形例
７．固定部材の第３変形例
８．固定部材の第４変形例
【００１１】
＜１．情報処理装置の外観例＞
まず、図１〜図３に基づいて、情報処理装置１００の外観例を説明する。情報処理装置１００は、ディスプレイ１１０（第１の筺体）と、本体１２０（第２の筺体）と、これらを連結する連結部２００とを備える。連結部２００は、後述するヒンジ１０を内蔵しており、カバー２００ａで覆われている。なお、本体１２０は、ディスプレイ及びタッチパネルを備え、図２に示すキーボード画像等を表示することができる。また、情報処理装置１００は、複数の筺体と、これらを連結する連結部とを有する情報処理装置であればどのようなものであってもよい。情報処理装置１００としては、例えばノートパソコン、携帯電話等が挙げられる。
【００１２】
本実施形態に係るヒンジ１０によれば、ユーザは、連結部２００を回転軸としてディスプレイ１１０及び本体１２０を０〜３６０度の範囲で自由に回動させることができる一方、これらを所望の位置で固定させることができる。ここで、本実施形態では、ディスプレイ１１０の表示面が本体１２０に接触した状態を０度とする。例えば、図１〜図３に示すように、ユーザは、情報処理装置１００を、折り曲げ状態、水平状態、逆折り曲げ状態（さばおり状態）のいずれかの状態とすることができる。
【００１３】
ここで、折り曲げ状態は、ディスプレイ１１０と本体１２０との角度が０度以上１８０度未満となる状態であり、水平状態は、これらの角度が１８０度となる状態である。さばおり状態は、これらの角度が１８０度より大きく３６０度以下となる状態である。さばおり状態では、ユーザは、図３に示すように、連結部２００を上にしてディスプレイ１１０及び本体１２０を立たせることができる。なお、ディスプレイ１１０及び本体１２０の可動範囲はこの例に限られず、一定の範囲内に制限されてもよい。
【００１４】
＜２．ヒンジの構成＞
次に、図４〜図７に基づいて、ヒンジ１０の具体的な構成を説明する。なお、図４は、情報処理装置１００の水平状態を示し、図５は、情報処理装置１００の折り曲げ状態を示す。ヒンジ１０は、第１の板２０、第２の板３０、支持部材４０、及び固定部材５０を備える。
【００１５】
第１の板２０は、屈曲可能な（屈曲性を有する）板であり、ディスプレイ１１０と本体１２０とに固定されている。第１の板２０は、例えばＳＵＳ板である。図４及び図５に示すように、第１の板２０は、ユーザがディスプレイ１１０を矢印Ａ１またはＡ２方向に回動させると、それに応じて屈曲する。
【００１６】
なお、ユーザがディスプレイ１１０を図４に示す位置から矢印Ａ１方向に回動させると、情報処理装置１００は折り曲げ状態となる。一方、ユーザがディスプレイ１１０を図４に示す位置から矢印Ａ２方向に回動させると、情報処理装置１００はさばおり状態となる。
【００１７】
第２の板３０は、第１の板２０の表面に重ねられている。第２の板３０は、屈曲可能な（屈曲性を有する）金属板である。第２の板３０は、ディスプレイ１１０に固定されている。すなわち、第２の板３０は、図６に示すように、ディスプレイ１１０側の端部３１が幅方向に広がっており、当該端部３１に貫通穴３２が形成されている。貫通穴３２は、ビス、ネジ等の貫通固定部材が貫通する穴である。第２の板３０は、貫通固定部材によってディスプレイ１１０に固定される。
【００１８】
一方、第２の板３０の本体１２０側の端部３３は、固定部材５０を貫通している。後述するように、固定部材５０は、第２の板３０をスライド及び固定することが可能な部材である。
【００１９】
支持部材４０は、第２の板３０を第１の板２０に接触（密着）させる部材、すなわち、第１の板２０及び第２の板３０の屈曲時等に第２の板３０が第１の板２０から離れないように第２の板３０を保持する部材である。支持部材４０は、第２の板３０の表面及び側面を囲み、かつ、第１の板２０に固定されている。支持部材４０のうち、第２の板３０の表面に対向する部分は、第２の板３０の表面に密着している。さらに、第２の板３０は、第１の板２０に密着している。したがって、支持部材４０は、第２の板３０を第１の板２０に密着させている。さらに、支持部材４０は、第１の板２０の長さ方向にそって所定間隔ごとに複数設けられている。
【００２０】
支持部材４０が複数設けられることで、第１の板２０が第２の板３０から離れる可能性が低減される。さらに、支持部材４０同士が所定間隔だけ離れていることで、折り曲げ状態時に支持部材４０同士が接触する可能性が低減される。なお、支持部材４０同士が接触すると、第１の板２０及び第２の板３０の屈曲が妨げられる可能性がある。ディスプレイ１１０と本体１２０とのなす角度が０度より大きい場合、支持部材４０同士は接触していないことが好ましい。なお、支持部材４０の幅（第１の板２０の長さ方向の長さ）、及び個数は図４に示す例に限られない。例えば、図７に示す幅、個数であってもよい。また、支持部材４０は、第１の板２０と第２の板３０との距離を所定値以下に抑えることができればよい。すなわち、第１の板２０と第２の板３０とは互いに離れていてもよい。ただし、連結部２００の薄型化という観点からは、第１の板２０と第２の板３０とは互いに接触していることが好ましい。
【００２１】
固定部材５０は、図４〜図６に示すように、ケース５０ａと、板バネ５１（弾性部材）と、土台５２（接触部材）と、貫通穴５３を備える。固定部材５０は、第２の板３０を矢印ａ１またはａ２方向にスライド可能であり、かつ固定可能な部材である。なお、弾性部材は板バネ５１に限られず、後述する作用を奏する弾性部材であればどのようなものであってもよい。
【００２２】
ケース５０ａは、板バネ５１及び土台５２を内蔵する。板バネ５１は第２の板３０の表面（一方の面）に接触し、土台５２は第２の板３０の裏面（他方の面）に接触している。すなわち、板バネ５１及び土台５２は第２の板３０を挟んでおり、かつ、板バネ５１は、第２の板３０を下方に（第２の板３０の表面と垂直な方向に）押圧している。したがって、板バネ５１と第２の板３０との間には摩擦力が働いている。固定部材５０は、この摩擦力によって第２の板３０を固定する。すなわち、この摩擦力が固定部材５０による固定力となっている。
【００２３】
第２の板３０の端部３３は、固定部材５０による固定力よりも大きな力が第２の板３０の端部３３に作用した場合、板バネ５１と土台５２との間を矢印ａ１またはａ２方向に移動（スライド）する。すなわち、第２の板３０の端部３３は、第１の板２０の長さ方向にスライドする。一方、第２の板に作用する力が固定部材５０による固定力以下となった場合、固定部材５０は、その固定力によって第２の板３０を固定する。したがって、固定部材５０は、第２の板３０を第１の板２０の長さ方向にスライド可能であり、かつ固定可能となっている。貫通穴５３は、第２の板３０の端部３３が貫通する穴である。
【００２４】
なお、土台５２の代わりに板バネを設けてもよい。この場合、２つの板バネで第２の板３０を挟み込むことになる。また、板バネ５１を第２の板の下方に設け、土台に相当する突出部を第２の板の上方に設けてもよい。いずれの形状でも、固定部材５０は上述した作用を奏することができる。
【００２５】
＜３．ヒンジの作用＞
次に、図４及び図５に基づいて、ヒンジ１０の作用について説明する。ユーザがディスプレイ１１０に矢印Ａ１またはＡ２方向の力を加えることで、第２の板３０の端部３３に固定部材５０による固定力よりも大きな力が作用すると、第１の板２０及び第２の板３０は、ユーザが力を加えた方向に屈曲する。さらに、固定部材５０は、ユーザがディスプレイ１１０に矢印Ａ１方向の力を加えた場合、第２の板３０の端部３３を矢印ａ１方向に移動させる。一方、固定部材５０は、ユーザがディスプレイ１１０に矢印Ａ２方向の力を加えた場合、第２の板３０の端部３３を矢印ａ２方向に移動させる。
【００２６】
すなわち、第１の板２０の屈曲時の曲率半径と、第２の板３０の屈曲時の曲率半径とは異なるので、これらの板の屈曲部分の長さも異なる。したがって、端部３３は、この差分に相当する量だけ、矢印ａ１またはａ２方向に移動する。
【００２７】
そして、ユーザがディスプレイ１１０から手を離した場合、固定部材５０は、その固定力によって第２の板３０を現在の位置に固定する。これにより、ユーザは、ディスプレイ１１０を本体１２０に対して所望の角度で固定させることができる。例えば、ユーザは、ディスプレイ１１０を図４に示す位置から図５に示す位置まで回動させ、手を離すことで、ディスプレイ１１０を図５に示す位置に固定することができる。なお、ヒンジ１０は、ユーザが本体１２０を回動させた場合にも同様の作用を奏する。
【００２８】
＜４．ヒンジの設置例＞
次に、図７に基づいて、ヒンジ１０の設置例について説明する。この例では、ヒンジ１０は、連結部２００の中央及び左右端部にそれぞれ設けられている。ヒンジ１０の数、配置はこの例に限られない。また、各ヒンジ１０の第１の板２０は、連結板６０に固定されている。連結板６０は、屈曲可能な板であり、連結部２００の長さ方向の両端に亘って設けられている。連結板６０は、例えば第１の板２０と同じ材料で構成される。連結板６０と第１の板２０とは一体形成されていてもよい。また、連結板６０はなくてもよい。
【００２９】
また、フレキシブルプリント基板（ＦＰＣ）３００がヒンジ１０間に配設される。ＦＰＣ３００は、本体１２０の電子回路とディスプレイ１１０の電子回路とを連結し、これらの電子回路間でやりとりされる情報を流通させる回路である。図１に示すカバー２００ａは、例えば第１の板２０、第２の板３０、支持部材４０、及び連結板６０を覆う。この設置例によれば、連結部２００には、ヒンジ１０及び連結板６０が配設される。そして、ヒンジ１０は、第１の板２０、第２の板３０等といった薄型の構成で実現されているので、連結部２００が薄型化される。さらに、フレキシブルプリント基板３００がヒンジ１０間に配設されるので、連結部２００がさらに薄型化される。
【００３０】
＜５．固定部材の第１変形例＞
次に、図８に基づいて、固定部材５０の第１変形例について説明する。第１変形例に係る固定部材５０は、ラック３５と、ギア６２とを備える。ラック３５は、第２の板３０の端部３３に設けられ、第２の板３０の長さ方向に伸びている。また、ラック３５は、ギア６２に設けられる歯６２ａと噛み合う歯３５ａを備える。
【００３１】
ギア６２は、回転軸６１を介してケース５０ａに設けられており、所定トルク以上のトルクが与えられた際に回転する。ギア６２は、ラック６１の歯６１ａと噛み合う歯６２ａを備える。
【００３２】
固定部材５０は、上記の構成により、以下の作用を奏する。すなわち、ユーザがディスプレイ１１０に矢印Ａ１またはＡ２方向の力（図４参照）を加えることで、ギア６２に所定トルク以上のトルクが与えられた場合、第１の板２０及び第２の板３０は、ユーザが力を加えた方向に屈曲する。
【００３３】
さらに、ユーザがディスプレイ１１０に矢印Ａ１方向の力を加えた場合、ラック３５はギア６２を矢印ｂ１方向に回転させながら矢印ａ１方向に移動する。一方、ユーザがディスプレイ１１０に矢印Ａ２方向の力を加えた場合、ラック３５はギア６２を矢印ｂ２方向に回転させながら矢印ａ２方向に移動する。
【００３４】
そして、ユーザがディスプレイ１１０から手を離した場合、ギア６２は現在の位置で回転を停止するので、ラック３５も現在の位置で停止する。すなわち、固定部材５０は、第２の板３０を現在の位置で停止させる。これにより、ユーザは、ディスプレイ１１０を本体１２０に対して所望の角度で固定させることができる。
【００３５】
＜６．固定部材の第２変形例＞
次に、図９に基づいて、固定部材５０の第２変形例について説明する。図９に示すように、第２変形例では、ラック３５が第２の板３０の両側面に設けられ、ギア６２もラック３５毎に設けられている。第２変形例も第１変形例と同様の作用を奏する。
【００３６】
＜７．固定部材の第３変形例＞
次に、図１０に基づいて、固定部材５０の第３変形例について説明する。図１０に示すように、第３変形例では、第２の板３０の端部３３に、第２の板３０を表面から裏面まで貫通する矩形の貫通穴が形成されている。そして、ラック３５は、貫通穴の側面に設けられ、ギア６２は貫通穴の内部に配置されている。第３変形例も第１変形例と同様の作用を奏する。
【００３７】
＜８．固定部材の第４変形例＞
次に、図１１に基づいて、固定部材５０の第４変形例について説明する。図１１に示すように、第４変形例に係る固定部材５０は、第１のラック３７と、バネ（弾性部材）３６と、第２のラック７０とを備える。なお、弾性部材はバネ３６に限られず、後述する作用を奏する弾性部材であればどのようなものであってもよい。
【００３８】
第１のラック３７は、第２の板３０の長さ方向に伸びる部材であり、第２の板３０の端部３３にバネ３６を介して設けられる。第１のラック３７は、第２のラック７０の歯７０ａに噛み合う歯３７ａを有する。なお、歯３７ａと歯７０ａとの間には遊び（空間）が形成されている。第１のラック３７を第２のラック７０に対して矢印ａ１またはａ２方向に移動しやすくするためである。
【００３９】
バネ３６は第１のラック３７と第２の板３０の端部３３とを連結する。また、バネ３６は、所定の弾性力により第１のラック３７を第２のラック７０に押し付ける。第２のラック７０は、第２の板３０の長さ方向に伸びる部材であり、ケース５０ａに設けられる。第１のラック３７は、第１のラック３７の歯３７ａに噛み合う歯７０ａを有する。
【００４０】
固定部材５０は、上記の構成により、以下の作用を奏する。すなわち、ユーザがディスプレイ１１０に矢印Ａ１またはＡ２方向の力（図４参照）を加えることで、第１のラック３７からバネ３６に弾性力より大きな力が与えられた場合、第１の板２０及び第２の板３０は、ユーザが力を加えた方向に屈曲する。
【００４１】
さらに、ユーザがディスプレイ１１０に矢印Ａ１方向の力を加えた場合、第１のラック３７と第２のラック７０との噛み合いが外れ、第１のラック３７は、矢印ａ１方向に移動する。一方、ユーザがディスプレイ１１０に矢印Ａ２方向の力を加えた場合、第１のラック３７と第２のラック７０との噛み合いが外れ、第１のラック３７は、矢印ａ２方向に移動する。
【００４２】
そして、ユーザがディスプレイ１１０から手を離した場合、第１のラック３７と第２のラック７０とは再度噛み合う。さらに、バネ３６は、第１のラック３７を第２のラック７０に押し付ける。これにより、第１のラック３７は現在の位置で停止する。すなわち、固定部材５０は、第２の板３０を現在の位置で停止させる。これにより、ユーザは、ディスプレイ１１０を本体１２０に対して所望の角度で固定させることができる。
【００４３】
以上により、本実施形態では、連結部２００は、ヒンジ１０を含む。そして、ヒンジ１０は、第１の板２０、第２の板３０、及び固定部材５０といった薄型の構成で実現されている。したがって、連結部２００の薄型化が可能であり、ひいては、情報処理装置１００自体の薄型化も可能となる。さらに、フレキシブルプリント基板３００がヒンジ１０の間に配設されるので、連結部２００がさらに薄型化される。
【００４４】
さらに、第１の板２０及び第２の板３０の屈曲と、第２の板のスライドとによってディスプレイ１１０を回動させることができるので、ディスプレイ１１０の可動範囲がより広くなる。すなわち、本実施形態では、第１の板２０及び第２の板３０の屈曲可能範囲（例えば０〜３６０度）だけディスプレイ１１０を回動させることができる。これにより、ユーザの利便性が向上する。さらに、回動時の騒音も低減される。
【００４５】
さらに、連結部２００の構成がシンプルになる（すっきりする）ので、連結部２００の美観、ひいては情報処理装置１００自体の美観が向上する。とくに、本実施形態では、ヒンジ１０の間にフレキシブルプリント基板３００を配設するので、連結部２００の構成がよりシンプルになる。
【００４６】
さらに、ヒンジ１０の部品点数が低減されるので、連結部２００の製造コスト、ひいては情報処理装置１００の製造コストが低減される。
【００４７】
さらに、ヒンジ１０は支持部材４０を備え、支持部材４０は、第１の板２０と第２の板３０との間隔を所定値以下に抑えるので、ヒンジ１０がさらに薄型化される。
【００４８】
さらに、支持部材４０は、第１の板２０と第２の板３０とを接触させるので、ヒンジ１０がさらに薄型化される。
【００４９】
さらに、支持部材４０は、第１の板２０の長さ方向に沿って複数設けられているので、第１の板２０と第２の板３０との間隔をより確実に所定値以下に抑えることができる。さらに、支持部材４０同士は互いに間隔が空けられるので、第１の板２０及び第２の板３０の屈曲時（具体的には、折り曲げ状態時）に支持部材４０同士が接触する可能性が低減される。
【００５０】
さらに、固定部材５０は、板バネ５１と土台５２とを備えるので、第２の板３０をより確実にスライド及び固定することができる。
【００５１】
さらに、固定部材５０は、ラック３５とギア６２とを備えるので、第２の板３０をより確実にスライド及び固定することができる。
【００５２】
さらに、固定部材５０は、第１のラック３７、バネ３６、及び第２のラック７０を備えるので、第２の板３０をより確実にスライド及び固定することができる。
【００５３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。例えば、固定部材の構成は上記に示した構成に限定されない。また、フレキシブルプリント基板３００は他の位置に配設されてもよい。また、図７に示す設置例において、各ヒンジ１０の固定部材５０をそれぞれ異なる構成（各変形例に示す構成）としてもよい。
【００５４】
なお、以下のような構成も本開示の技術的範囲に属する。
（１）
第１の筺体と、
第２の筺体と、
前記第１の筺体及び前記第２の筺体のそれぞれに固定され、屈曲性を有する第１の板と、
前記第１の筺体に固定され、屈曲性を有する第２の板と、
前記第２の筺体に設けられ、前記第２の板を前記第１の板の長さ方向にスライド可能であり、かつ固定可能な固定部材と、を備える、情報処理装置。
（２）
前記第１の板と前記第２の板との間隔を所定値以下に抑える支持部材を備える、前記（１）記載の情報処理装置。
（３）
前記支持部材は、前記第１の板と前記第２の板とを接触させる、前記（２）記載の情報処理装置。
（４）
前記支持部材は、前記第１の板の長さ方向に沿って所定間隔ごとに複数設けられる、前記（２）または（３）記載の情報処理装置。
（５）
前記固定部材は、
前記第２の板の一方の面を前記一方の面に垂直な方向に押圧する弾性部材と、
前記第２の板の他方の面に接触する接触部材と、を備える、前記（１）〜（４）のいずれか１項に記載の情報処理装置。
（６）
前記固定部材は、
前記第２の板に設けられ、前記第２の板の長さ方向に伸びるラックと、
前記ラックに噛み合い、所定トルク以上のトルクが与えられた際に回転するギアと、を備える、前記（１）〜（４）のいずれか１項に記載の情報処理装置。
（７）
前記固定部材は、
前記第２の板の長さ方向に伸びる第１のラックと、
前記第２の板と前記第１のラックとを連結する弾性部材と、
前記第２の筺体に固定され、前記第１のラックと噛み合う第２のラックと、を備える、前記（１）〜（４）のいずれか１項に記載の情報処理装置。
【符号の説明】
【００５５】
１００    情報処理装置
１０      ヒンジ
２０      第１の板
３０      第２の板
３５      ラック
３６      バネ
３７      第１のラック
４０      支持部材
５０      固定部材
５０ａ    ケース
５１      板バネ
５２      土台
６２      ギア
７０      第２のラック
【図１】
2014044627.tif 000003
【図２】
2014044627.tif 000004
【図３】
2014044627.tif 000005
【図４】
2014044627.tif 000006
【図５】
2014044627.tif 000007
【図６】
2014044627.tif 000008
【図７】
2014044627.tif 000009
【図８】
2014044627.tif 000010
【図９】
2014044627.tif 000011
【図１０】
2014044627.tif 000012
【図１１】
2014044627.tif 000013